(57)【要約】【課題】薄型化及び筐体の剛性強化を図ることができる電子機器を提供する。【解決手段】携帯電話機１は、対向面部５ａを有する第２筐体５と、第２筐体５内において、対向面部５ａに対して積層的に配置された回路基板２９と、第２筐体５内において、対向面部５ａ及び回路基板２９の積層方向において、対向面部５ａに重なり、回路基板２９と重ならない位置に配置されたバッテリー３１とを有し、第２筐体５は、樹脂により形成され、対向面部５ａの少なくとも一部を構成し、回路基板２９及びバッテリー３１に跨る樹脂部５５と、樹脂よりも弾性係数が高い金属により形成され、対向面部５ａの少なくとも一部を構成し、樹脂部５５に少なくとも一部が埋設され、回路基板２９及びバッテリー３１に跨る板金部５７とを有する。【選択図】図２
2008245160.tif 000002
【特許請求の範囲】
【請求項１】
所定面部を有する筐体と、
前記筐体内において、前記所定面部に対して積層的に配置された回路基板と、
前記筐体内において、前記所定面部及び前記回路基板の積層方向において、前記所定面部に重なり、前記回路基板と重ならない位置に配置された電気部品と、
を有し、
前記筐体は、
第１材料により形成され、前記所定面部の少なくとも一部を構成し、前記回路基板及び前記電気部品に跨る第１筐体部材と、
前記第１材料よりも弾性係数が高い第２材料により形成され、前記所定面部の少なくとも一部を構成し、前記第１筐体部材に少なくとも一部が埋設され、前記回路基板及び前記電気部品に跨る第２筐体部材と、
を有する電子機器。
【請求項２】
前記電気部品はバッテリーである
請求項１に記載の電子機器。
【請求項３】
前記回路基板及び前記電気部品と、前記所定面部との間に配置されたスイッチ基板と、
前記スイッチ基板の前記所定面部側の面に配置された複数のスイッチと、
前記複数のスイッチを押下するための複数のキートップを含む操作部材と、
を有し、
前記第１筐体部材には、前記複数のキートップを露出させる第１キー用開口が形成され、
前記第２筐体部材には、前記第１キー用開口と重なる位置に、前記複数のキートップを露出させる第２キー用開口が形成されている
請求項１又は２に記載の電子機器。
【請求項４】
前記第２キー用開口は、前記第１キー用開口よりも径が小さく、前記第２筐体部材は前記第１キー用開口において前記第１筐体部材から露出し、
前記第２筐体部材の、前記第１キー用開口において前記第１筐体部材から露出した部分は、前記操作部材を係止している
請求項３に記載の電子機器。
【請求項５】
前記スイッチ基板の前記所定面部側の面に配置された、前記キートップ照明用の発光素子を有し、
前記第２筐体部材は、
前記所定面部を構成し、前記第２キー用開口が形成された基部と、
前記基部の縁部から前記スイッチ基板側へ延びる折り返し部と、
を有し、
前記第２材料は、前記第１材料よりも遮光性が高い
請求項３又は４に記載の電子機器。
【請求項６】
前記筐体内に配置される発光素子を有し、
前記第１筐体部材には、前記発光素子の光を筐体外部へ射出させる第１透光用開口が形成され、
前記第２筐体部材には、前記第１透光用開口に重なる位置に、前記発光素子の光を筐体外部へ射出させる第２透光用開口が形成され、
前記第２材料は、前記第１材料よりも遮光性が高い
請求項１又は２に記載の電子機器。
【請求項７】
前記第１材料は、絶縁性を有し、
前記第２材料は、導電性を有し、
前記第２筐体部材は、前記回路基板のグランドに接続されている
請求項３〜６のいずれか１項に記載の電子機器。
【請求項８】
前記第２筐体部材は、
前記所定面部を構成する基部と、
前記基部の、前記回路基板側から前記電気部品側へ延びる縁部から、前記基部に交差するように延びる折り返し部と
を有する請求項１又は２に記載の電子機器。
【請求項９】
前記筐体の一端に、前記所定面部に平行な回転軸回りに回転可能に連結された他の筐体を有し、
前記筐体と、前記他の筐体とは、一方の筐体に形成された連結突部が他方の筐体に形成された連結凹部に挿入され、前記連結突部の前記回転軸方向の両側において、前記連結突部及び前記連結凹部の互いに対向する面に所定の軸部品が挿通されて、前記回転軸回りに回転可能に連結され、
前記第２筐体部材は、
前記所定面部を構成する基部と、
前記回転軸方向において前記連結突部及び前記連結凹部と重なる範囲において、前記基部の、前記筐体の前記一端側の縁部から前記基部に交差するように延びる折り返し部と
を有する請求項１又は２に記載の電子機器。
【請求項１０】
前記第１材料は樹脂であり、
前記第２材料は金属である
請求項１〜８のいずれか１項に記載の電子機器。
【発明の詳細な説明】
【技術分野】
【０００１】
本発明は、携帯電話機、デジタルカメラ、ＰＤＡ、ゲーム機等の電子機器に関する。
【背景技術】
【０００２】
携帯電話機等の小型化や薄型化が要求される電子機器において、薄型の筐体内に、筐体と同等の広さを有する回路基板を配置する技術が知られている。特許文献１では、回路基板にバッテリーを積層的に配置した携帯電話機が開示されている。特許文献１の携帯電話機は、バッテリーが積層され、縁部が筐体の側面に埋設された板金を有している。なお、特許文献１では、板金の広さについては明らかにされていない。
【特許文献１】特開２００５−３１８１６０号公報
【発明の開示】
【発明が解決しようとする課題】
【０００３】
回路基板と、バッテリー等の比較的大きな電気部品とが積層的に配置されると、筐体の薄型化が難しくなる。そこで、回路基板の面積を小さくし、回路基板とバッテリー等の電気部品とを並列に配置することが考えられる。しかし、回路基板やバッテリー等は、電子機器全体の曲げ剛性の補強に寄与していることから、回路基板とバッテリー等の電気部品とを並列に配置すると、これらの間に、局部的に曲げ剛性が弱い部分が生じる。そして、その曲げ剛性の低下を補強するために筐体を厚く形成すれば、結局、電子機器の薄型化は実現されないことになる。
【０００４】
本発明の目的は、薄型化及び筐体の剛性強化を図ることができる電子機器を提供することにある。
【課題を解決するための手段】
【０００５】
本発明の電子機器は、所定面部を有する筐体と、前記筐体内において、前記所定面部に対して積層的に配置された回路基板と、前記筐体内において、前記所定面部及び前記回路基板の積層方向において、前記所定面部に重なり、前記回路基板と重ならない位置に配置された電気部品と、を有し、前記筐体は、第１材料により形成され、前記所定面部の少なくとも一部を構成し、前記回路基板及び前記電気部品に跨る第１筐体部材と、前記第１材料よりも弾性係数が高い第２材料により形成され、前記所定面部の少なくとも一部を構成し、前記第１筐体部材に少なくとも一部が埋設され、前記回路基板及び前記電気部品に跨る第２筐体部材と、を有する。
【０００６】
好適には、前記電気部品はバッテリーである。
【０００７】
好適には、前記回路基板及び前記電気部品と、前記所定面部との間に配置されたスイッチ基板と、前記スイッチ基板の前記所定面部側の面に配置された複数のスイッチと、前記複数のスイッチを押下するための複数のキートップを含む操作部材と、を有し、前記第１筐体部材には、前記複数のキートップを露出させる第１キー用開口が形成され、前記第２筐体部材には、前記第１キー用開口と重なる位置に、前記複数のキートップを露出させる第２キー用開口が形成されている。
【０００８】
好適には、前記第２キー用開口は、前記第１キー用開口よりも径が小さく、前記第２筐体部材は前記第１キー用開口において前記第１筐体部材から露出し、前記第２筐体部材の、前記第１キー用開口において前記第１筐体部材から露出した部分は、前記操作部材を係止している。
【０００９】
好適には、前記スイッチ基板の前記所定面部側の面に配置された、前記キートップ照明用の発光素子を有し、前記第２筐体部材は、前記所定面部を構成し、前記第２キー用開口が形成された基部と、前記基部の縁部から前記スイッチ基板側へ延びる折り返し部と、を有し、前記第２材料は、前記第１材料よりも遮光性が高い。
【００１０】
好適には、前記筐体内に配置される発光素子を有し、前記第１筐体部材には、前記発光素子の光を筐体外部へ射出させる第１透光用開口が形成され、前記第２筐体部材には、前記第１透光用開口に重なる位置に、前記発光素子の光を筐体外部へ射出させる第２透光用開口が形成され、前記第２材料は、前記第１材料よりも遮光性が高い。
【００１１】
好適には、前記第１材料は、絶縁性を有し、前記第２材料は、導電性を有し、前記第２筐体部材は、前記回路基板のグランドに接続されている。
【００１２】
好適には、前記第２筐体部材は、前記所定面部を構成する基部と、前記基部の、前記回路基板側から前記電気部品側へ延びる縁部から、前記基部に交差するように延びる折り返し部とを有する。
【００１３】
好適には、前記筐体の一端に、前記所定面部に平行な回転軸回りに回転可能に連結された他の筐体を有し、前記筐体と、前記他の筐体とは、一方の筐体に形成された連結突部が他方の筐体に形成された連結凹部に挿入され、前記連結突部の前記回転軸方向の両側において、前記連結突部及び前記連結凹部の互いに対向する面に所定の軸部品が挿通されて、前記回転軸回りに回転可能に連結され、前記第２筐体部材は、前記所定面部を構成する基部と、前記回転軸方向において前記連結突部及び前記連結凹部と重なる範囲において、前記基部の、前記筐体の前記一端側の縁部から前記基部に交差するように延びる折り返し部とを有する。
【００１４】
好適には、前記第１材料は樹脂であり、前記第２材料は金属である。
【発明の効果】
【００１５】
本発明よれば、電子機器の薄型化及び筐体の剛性強化を図ることができる。
【発明を実施するための最良の形態】
【００１６】
図１は、本発明の実施形態に係る電子機器としての携帯電話機１の外観を示す斜視図である。
【００１７】
携帯電話機１は、いわゆる折り畳み式の携帯電話機として構成されており、開閉可能に連結された第１筐体３及び第２筐体５を備えている。第１筐体３及び第２筐体５は、連結部７により連結されている。第１筐体３及び第２筐体５は、回転軸ＲＡ回りに回転可能である。なお、図１は、開状態を示している。
【００１８】
第１筐体３及び第２筐体５は、携帯電話機１全体の筐体を構成している。第１筐体３及び第２筐体５は、例えば、それぞれ概ね薄型直方体状に形成されており、閉状態では互いに重ねあわされて互いの輪郭が略一致する。
【００１９】
第１筐体３には、例えば、通話用のスピーカ９７（図１１参照）の放音口９、図形や文字情報等を含む画像を表示する表示部１１が設けられている。放音口９は、第１筐体３の、連結部７とは反対側の端部において、閉状態において第２筐体５と対向する対向面部３ａにおいて開口している。表示部１１は、例えば、液晶ディスプレイや有機ＥＬディスプレイにより構成され、対向面部３ａにおいて画像を表示する。なお、対向面部３ａは、回転軸ＲＡと平行である。
【００２０】
第２筐体５には、例えば、通話用のマイクロフォン３９（図２参照）の収音口１３、ユーザの操作を受け付ける操作部１５が設けられている。収音口１３は、第２筐体５の、連結部７側の端部において、第１筐体３と対向する対向面部５ａにおいて開口している。操作部１５は、対向面部５ａにおいて筐体外部へ露出する、複数のダイヤルキー１７Ａ、カーソルキー１７Ｂ、決定キー１７Ｃ、複数のファンクションキー１７Ｄ（以下、これらを区別せずに、単に「キートップ１７」ということがある。）を含んで構成されている。なお、対向面部５ａは、回転軸ＲＡと平行である。
【００２１】
連結部７は、例えば、第１筐体３の長手方向の一方の端部である第１端部３ｄと、第２筐体５の長手方向の一方の端部である第２端部５ｄとを含んで構成されている。具体的には、以下のとおりである。第１筐体３の第１端部３ｄには、連結凹部３ｅが形成されている。第２筐体５の第２端部５ｄには、連結突部５ｅが形成されている。連結突部５ｅは、連結凹部３ｅに挿入される。そして、連結突部５ｅの回転軸ＲＡ方向両側においては、連結突部５ｅ及び連結凹部３ｅの、回転軸ＲＡ方向において互いに対向する面に、軸部品としてのヒンジパーツ８Ａ、８Ｂ（図２参照。以下、単に「ヒンジパーツ８」といい、これらを区別しないことがある。）が挿入される。なお、ヒンジパーツ８Ａ、８Ｂは、例えば、特に図示しないが、連結突部５ｅに挿入される部分と、当該部分に対して回転軸ＲＡ回りに回転可能な、連結凹部３ｅに挿入される部分とを有して構成されている。
【００２２】
図２は、第２筐体５の分解斜視図である。
【００２３】
第２筐体５においては、図２の紙面上方側から順に、キープレート２１、フロントケース２３、キーアセンブリ２５、シールドアセンブリ２７、回路基板２９及びバッテリー３１、リアケース３３、並びに、バッテリーリッド３５が積層されている。なお、回路基板２９とバッテリー３１とは、積層方向において並列に配置されている。すなわち、回路基板２９とバッテリー３１とは積層されていない。
【００２４】
第２筐体５は、キープレート２１、フロントケース２３、リアケース３３及びバッテリーリッド３５により構成されている。キープレート２１、リアケース３３、バッテリーリッド３５は、例えば、絶縁性の樹脂により構成されている。フロントケース２３の材質等については、後述する。第２筐体５の対向面部５ａは、キープレート２１及びフロントケース２３により構成されている。第２筐体５の、対向面部５ａを囲む外周面部５ｃ（図１）は、フロントケース２３及びリアケース３３により構成されている。第２筐体５の、対向面部５ａの反対側の背面部５ｂ（図１）は、リアケース３３及びバッテリーリッド３５により構成されている。連結部７を構成する連結突部５ｅは、フロントケース２３に形成されている。
【００２５】
フロントケース２３及びリアケース３３は、概ね同等の広さを有する矩形状に形成されている。フロントケース２３とリアケース３３とは、例えば、一方（例えばリアケース３３）に挿通された不図示のネジが他方（例えばフロントケース２３）に形成されたネジボス２３ａに螺合することにより、互いに固定される。キーアセンブリ２５、シールドアセンブリ２７、及び、回路基板２９は、フロントケース２３とリアケース３３とが互いに固定されることにより、フロントケース２３とリアケース３３とにより挟持され、第２筐体５内部に固定される。リアケース３３には、バッテリー３１を挿入するための開口３３ａが形成されている。バッテリー３１は、開口３３ａから第２筐体５内部へ挿入され、バッテリーリッド３５が開口３３ａを塞ぐようにリアケース３３に係合されることにより、第２筐体５内に装着される。リアケース３３の開口３３ａよりも連結部７とは反対側（図２の左側）の端部には、アンテナ８９（図１１参照）を配置するための凹部３３ｂが形成されている。
【００２６】
回路基板２９は、例えば、硬質の樹脂をベースとしたプリント配線基板により構成されている。回路基板２９は、例えば、概ね、第２筐体５の半分程度の広さを有する矩形に形成されている。回路基板２９には種々の電子部品が配置されており、電子回路が構成されている。例えば、回路基板２９のフロントケース２３側の第１実装面２９ａには、各種のＩＣ３７、通話用のマイクロフォン３９が設けられている。回路基板２９のリアケース３３側の第２実装面２９ｂには、報知用のスピーカ９９（図１１参照）、カメラモジュール９５（図１１参照）が設けられている。回路基板２９のバッテリー３１側の端部には、バッテリー３１に接続される受電端子部４１が設けられている。回路基板２９の第１実装面２９ａ及び第２実装面２９ｂには、回路基板２９（電子回路）のグランドラインを構成するグランドパターン層２９ｃ（一部のみ示す。）が所定のパターンで配置されている。
【００２７】
マイクロフォン３９は、例えば、概ね円盤状に形成されている。マイクロフォン３９は、収音面３９ａをフロントケース２３側に、端子面３９ｂを回路基板２９側に向けて配置されている。マイクロフォン３９は、適宜な方法で回路基板２９に対して固定されてよいが、例えば、半田により回路基板２９に対して固定されている。マイクロフォン３９は、特に図示しないが、例えば、音響に応じて振動する振動板と、振動板の振動を電気信号に変換するコイル及び磁石とを有しており、収音面３９ａから入力された音響を電気信号に変換し、その電気信号を端子面３９ｂに配置された不図示の端子から回路基板２９へ出力する。
【００２８】
受電端子部４１は、例えば、バッテリー３１側に突出するバネ端子４１ｐ、４１ｎを有している。一方、バッテリー３１の回路基板２９側の面３１ａには、不図示の平板状の給電端子が設けられている。第２筐体５が組み立てられた状態において、バッテリー３１が第２筐体５に装着されると、バネ端子４１ｐ、４１ｎは、面３１ａに設けられた不図示の給電端子に当接する。そして、バッテリー３１から回路基板２９への給電が可能となる。
【００２９】
バッテリー３１は、例えば、概ね、第２筐体５の半分程度の広さを有する薄型直方体状に形成されている。バッテリー３１は、樹脂等により形成されたケース３１ｂを有している。ケース３１ｂ内には、特に図示しないが、例えば、正極と負極とをセパレータを挟んで積層したバッテリーセル、バッテリーセルの正極及び負極に接続され、給電端子や保護回路等を備えた回路基板が設けられている。
【００３０】
シールドアセンブリ２７は、回路基板２９等に被せられるシールドケース４３と、シールドケース４３のフロントケース２３側に配置されるスイッチ基板としてのＦＰＣ（フレキシブルプリント配線板）４５とを有している。
【００３１】
シールドケース４３は、例えば、金属により形成されている。シールドケース４３は、概ね第２筐体５と同等の面積を有する矩形状に形成されている。シールドケース４３は、回路基板２９側を凹とする箱状に形成されている。なお、特に図示しないが、シールドケース４３の回路基板２９側の面には、ＩＣ３７等の回路基板２９の第１実装面２９ａ上の複数の電子部品を区画するように囲むリブが設けられている。当該リブは、第１実装面２９ａ上に設けられたグランドパターン層２９ｃに当接する。これにより、シールドケース４３は、回路基板２９のグランドラインに電気的に接続される。なお、マイクロフォン３９は、回路基板２９のうち、シールドケース４３が被せられない領域に配置されている。
【００３２】
ＦＰＣ４５は、例えば、シールドケース４３と概ね同等の広さを有する矩形状に形成されている。ＦＰＣ４５は、例えば、半田、両面テープ、接着剤等の適宜な固定手段によりシールドケース４３に対して固定されている。ＦＰＣ４５は、シールドケース４３に載置される部分から延在する延在部４５ａを有しており、当該延在部４５ａに設けられた不図示のコネクタが回路基板２９に設けられた不図示のコネクタに接続されることにより、ＦＰＣ４５と回路基板２９とは電気的に接続される。
【００３３】
ＦＰＣ４５のフロントケース２３側の実装面には、例えば、複数のスイッチ４７、複数の発光素子としてのＬＥＤ４９が設けられている。
【００３４】
複数のスイッチ４７は、複数のキートップ１７に対応して設けられている。すなわち、複数のスイッチ４７は、複数のキートップ１７と重なる位置に、複数のキートップ１７により押下可能に設けられている。複数のスイッチ４７は、基本的に、１つのキートップ１７に対して１つのスイッチ４７が対応している。ただし、カーソルキー１７Ｂに対しては、４つのスイッチ４７が対応している。
【００３５】
複数のスイッチ４７は、例えばドームスイッチにより構成されており、特に図示しないが、ドーム状の可動接点と、可動接点に対向する固定接点とを有している。スイッチ４７は、押下されると、可動接点が固定接点に接触してオン状態となり、押下が解除されると、可動接点の復元力によりオフ状態に復帰する。スイッチ４７のオン、オフにより生成される信号は、ＦＰＣ４５を介して回路基板２９に出力される。
【００３６】
複数のＬＥＤ４９は、複数のキートップ１７を照明するためのものであり、例えば、複数のスイッチ４７間に配置されている。複数のＬＥＤ４９は、ＦＰＣ４３及び回路基板２９を介してバッテリー３１から供給される電力により駆動される。複数のＬＥＤ４９の動作（点灯、消灯）は、例えば、回路基板２９に設けられた制御部（ＣＰＵ８５；図１１参照）により携帯電話機１の開閉状態等に応じて制御される。
【００３７】
図３は、キーアセンブリ２５の分解斜視図である。ただし、図３は、キーアセンブリ２５の構成の概略を示すものであり、キーアセンブリ２５を第２筐体５内で位置決めするための位置決め部等の各部を適宜に省略して示している。
【００３８】
キーアセンブリ２５は、例えば、リアケース３３側（図３の下方側）から順に、複数のスイッチ４７及び複数のＬＥＤ４９に被せられるキーシート５１と、フレーム５３と、複数のキートップ１７とを有している（図１も参照）。
【００３９】
キーシート５１は、例えば、シリコンゴム等の弾性材料により形成されている。キーシート５１は、透光性を有しており、ＬＥＤ４９の光を透過可能である。なお、図３では、キーシート５１が一枚のシートにより構成されている場合を例示しているが、キーシート５１は、２枚以上のシートが積層されて構成されていてもよい。キーシート５１は、例えば、複数のスイッチ４７の配置領域を覆うことが可能な広さを有する矩形状に形成されている。キーシート５１のフロントケース２３側の面には、フロントケース２３側に突出する、複数のキートップ１７を固定するための複数の台座部５２Ａ〜５２Ｄ（以下、単に「台座部５２」といい、これらを区別しないことがある。）が形成されている。キーシート５１のＦＰＣ４５側の面には、ＦＰＣ４５側に突出する、複数のスイッチ４７を押下するための押し子５１ａ（図９（ｂ）参照）が形成されている。台座部５２及び押し子５１ａは、複数のスイッチ４７の配置位置にそれぞれ設けられている。
【００４０】
フレーム５３は、例えば、金属により構成されている。フレーム５３は、全体として、概ね、ダイヤルキー１７Ａ（台座部５２Ａ）の配置領域と同等の広さを有する板状に形成されている。フレーム５３には、フレーム５３がキーシート５１のフロントケース２３側の面に積層されたときに、キーシート５１の台座部５２Ａが挿入される開口５３ａが複数設けられている。
【００４１】
複数のキートップ１７は、キーシート５１の台座部５２に、接着剤等の適宜な固定部材により固定されている。具体的には、複数のダイヤルキー１７Ａは、フレーム５３の開口５３ａに挿入された、複数のダイヤルキー１７Ａと同数の台座部５２Ａに固定され、カーソルキー１７Ｂは、４方に配置された４つの台座部５２Ｂに固定され、決定キー１７Ｃは台座部５２Ｃに固定され、複数のファンクションキー１７Ｄは、複数のファンクションキー１７Ｄと同数の台座部５２Ｄに固定される。
【００４２】
図４（ａ）は、フロントケース２３の平面図であり、図４（ｂ）は、図４（ａ）のＩＶｂ−ＩＶｂ線における断面図であり、図４（ｃ）は、図４（ａ）のＩＶｃ−ＩＶｃ線における断面図である。
【００４３】
フロントケース２３は、第１材料としての樹脂により形成された、第１筐体部材としての樹脂部５５と、第２材料としての金属により形成され、樹脂部５５に一部が埋設された、第２筐体部材としての板金部５７とを有している。
【００４４】
板金部５７を構成する金属は、樹脂部５５を構成する樹脂よりも弾性係数が高い。樹脂部５５を構成する樹脂は、遮光性を有するものの、若干、光を透過するのに対し、板金部５７を構成する金属は、光を完全に遮断する。すなわち、板金部５７を構成する材料は樹脂部５５を構成する材料よりも遮光性が高い。樹脂部５５を構成する樹脂は絶縁性を有しているのに対し、板金部５７を構成する金属は、導電性を有している。
【００４５】
樹脂部５５は、第２筐体５の対向面部５ａを構成する対向面構成部５５ａと、第２筐体５の外周面部５ｃを構成する外周面構成部５５ｂとを有している。対向面構成部５５ａには、複数のキートップ１７を第２筐体５外部へ露出させるためのキー用開口５６が形成されている。キー用開口５６は、例えば、複数のダイヤルキー１７Ａ、カーソルキー１７Ｂ、決定キー１７Ｃ及び複数のファンクションキー１７Ｄの全てに対して、一つだけ形成されている。
【００４６】
図５（ａ）は、板金部５７の斜視図であり、図５（ｂ）は、図５（ａ）の領域Ｖｂの拡大図であり、図５（ｃ）は、図５（ａ）の領域Ｖｃの拡大図である。
【００４７】
板金部５７は、第２筐体５の対向面部５ａを構成する基部５７ａと、基部５７ａの縁部から基部５７ａに交差する方向に延びる連結部側折り返し部５７ｂ及び側面側折り返し部５７ｃとを有している。
【００４８】
基部５７ａには、複数のキートップ１７を露出させるための複数のキー用開口５８Ａ、５８ＢＣ、５８Ｄ（以下、単に「キー用開口５８」といい、これらを区別しないことがある。）が形成されている。キー用開口５８Ａは、例えば、複数のダイヤルキー１７Ａに対応して一つ設けられており、キー用開口５８ＢＣは、カーソルキー１７Ｂ及び決定キー１７Ｃに対応して一つ設けられており、キー用開口５８Ｄは、２つのファンクションキー１７Ｄに対応して一つ、合計２つ設けられている。なお、図４に示すように、板金部５７のキー用開口５８は、樹脂部５５のキー用開口５６よりも径が小さい。複数のキー用開口５８は、キー用開口５６と重なる位置に設けられている。
【００４９】
図５（ａ）及び図５（ｂ）に示すように、連結部側折り返し部５７ｂは、基部５７ａの連結部７側（図５（ａ）の右上側）の縁部から、キートップ１７が露出する側（図５（ａ）の上方側）へ延びている。連結部側折り返し部５７ｂの、基部５７ａの縁部に沿う長さは、連結部７の連結突部５ｅの回転軸ＲＡ方向の長さよりも短く設定されている。なお、連結部側折り返し部５７ｂの基部５７ａに対する角度は適宜に設定されてよい。
【００５０】
図５（ａ）及び図５（ｃ）に示すように、側面側折り返し部５７ｃは、基部５７ａの側面側（図５（ａ）の左上側又は左下側）の縁部から、携帯電話機１の背面側（図５（ａ）の下方側）へ延びている。側面側折り返し部５７ｃは、基部５７ａの側面側の縁部に亘って形成されている。なお、側面側折り返し部５７ｃの基部５７ａに対する角度は適宜に設定されてよい。
【００５１】
図６は、樹脂部５５と、板金部５７との重なりを示すフロントケース２３の平面図である。図中、白抜き部分は、樹脂部５５のみの部分であり、ハッチング部分は、板金部５７のみの部分であり、黒塗りの部分は、樹脂部５５と板金部５７との重なり部分である。樹脂部５５と板金部５７との重なり部分では、基本的に板金部５７は樹脂部５５に埋設されている。
【００５２】
図４及び図６に示すように、板金部５７は、外周部が全周に亘って樹脂部５５に埋設されている。具体的には、基部５７ａの外周部、連結部側折り返し部５７ｂ及び側面側折り返し部５７ｃが樹脂部５５に埋設されている。なお、板金部５７の基部５７ａは、樹脂部５５の対向面構成部５５ａと同等の広さを有している。板金部５７の基部５７ａの中央側は、樹脂部５５のキー用開口５６から樹脂部５５外部へ露出している。具体的には、板金部５７のキー用開口５８それぞれの外周部が露出している。
【００５３】
図７（ａ）は、図４（ｂ）の領域ＶＩＩａの拡大図であり、図７（ｂ）は、図４（ｃ）の領域ＶＩＩｂの拡大図である。
【００５４】
図７（ａ）に示すように、板金部５７の基部５７ａの連結部７側（図７（ａ）の上方側）の端部は、樹脂部５５の対向面構成部５５ａに埋設されており、連結部側折り返し部５７ｂは、連結部７を構成する連結突部５ｅに埋設されている。連結部側折り返し部５７ｂは、基部５７ａから、連結突部５ｅの突出側（図７（ａ）の左側）に延びている。従って、連結部側折り返し部５７ｂの基部５７ａからの高さは、対向面構成部５５ａの、基部５７ａから連結突部５ｅの突出側への厚さよりも大きいが、端部側折り返し部５７ｂは、樹脂部５５外部へ露出しない。
【００５５】
図７（ｂ）に示すように、板金部５７の基部５７ａの側面側（図７（ｂ）の右側）の端部は、樹脂部５５の対向面構成部５５ａに埋設されており、側面側折り返し部５７ｃは、外周面構成部５５ｂに埋設されている。外周面構成部５５ｂは、対向面構成部５５ａから筐体内部側（図７（ｂ）の下方側）へ延び、側面側折り返し部５７ｃは、基部５７ａから筐体内部側へ延びている。従って、側面側折り返し部５７ｃの基部５７ａからの高さは、対向面構成部５５ａの、基部５７ａから筐体内部側への厚さよりも大きいが、側面側折り返し部５７ｃは、樹脂部５５外部へ露出しない。
【００５６】
以上のようなフロントケース２３は、例えば、いわゆるインサート成形により構成される。具体的には、まず、板金部５７が形成される。板金部５７は、例えば、一枚の板金に対して、打ち抜き加工、曲げ加工、絞り加工等のプレス加工を行うことにより形成される。次に、板金部５７は、射出成形機の一対の金型のキャビティ内に配置されるとともに、一対の金型に挟持される。そして、樹脂部５５となるべき溶融した樹脂がキャビティ内に射出、充填されることにより、フロントケース２３は形成される。
【００５７】
インサート成形においては、板金部５７を一対の金型により挟持することから、板金部５７には、樹脂部５５に埋設されずに、樹脂部５５から露出する部分が必ず生じる。一方、仮に、樹脂部５５のみによりフロントケース２３が構成されたとしても、一対の金型は、キー用開口５６を形成するために、互いに当接する部分を有する。すなわち、一対の金型の一方又は双方には、型開閉方向に突出し、他方の金型に当接する、断面形状がキー用開口５６と同一の柱部が形成されている。フロントケース２３では、板金部５７のうち、樹脂部５５のキー用開口５６から露出する部分を、一対の金型により挟持する部分としていることから、樹脂部５５のキー用開口５６を形成するための柱部が板金部５７を挟持する部分を兼ねることになり、インサート成形が好適に行われることになる。
【００５８】
図８は、第２筐体５内における、回路基板２９及びバッテリー３１の配置を説明する図であり、図８（ａ）は第２筐体５の平面図、図８（ｂ）は第２筐体５の側面図である。
【００５９】
回路基板２９は、第２筐体５内において、対向面部５ａに対して積層的に配置されている。バッテリー３１は、回路基板２９の対向面部５ａに対する積層方向において、対向面部５ａに重なり、回路基板２９に重ならない位置に配置されている。具体的には、回路基板２９及びバッテリー３１は、第２筐体５の長手方向（図８の左右方向、第１筐体３に連結される端部側から他方の端部側への方向）に配列されている。一方、回路基板２９及びバッテリー３１は、それぞれ第２筐体５の曲げ剛性の補強に寄与している。従って、実線Ｌ１で示す、回路基板２９とバッテリー３１との境界位置においては、第２筐体５は、他の部分に比較して曲げ剛性が低下することになる。
【００６０】
図２、図４、図６及び図８から読解されるように、樹脂部５５及び板金部５７は、回路基板２９及びバッテリー３１に跨っている。板金部５７は、樹脂よりも弾性係数が高いから、樹脂のみによりフロントケース２３を構成した場合に比較して、フロントケース２３の薄型化を図りつつ、実線Ｌ１における曲げを防止することができる。
【００６１】
図９（ａ）は、図１のＩＸａ−ＩＸａ線における断面図であり、図９（ｂ）は、図９（ａ）の領域ＩＸにおける拡大図である。なお、図９（ａ）においては、図解を容易にするために、キーシート５１等の部材を適宜に省略して示している。
【００６２】
上述したように、第２筐体５においては、リアケース３３側（紙面下方側）から、回路基板２９、シールドケース４３、ＦＰＣ４５、キーシート５１、フロントケース２３が積層されている。キートップ１７は、フロントケース２３の樹脂部５５のキー用開口５６及び板金部５７のキー用開口５８を介して第２筐体外部へ露出している。キープレート２１は、板金部５７の、樹脂部５５のキー用開口５８から露出した部分に積層され、両面テープや接着剤等の適宜な固定部材により板金部５７に対して固定されている。
【００６３】
フロントケース２３の樹脂部５５は、外周面構成部５５ｂがリアケース３３やシールドケース４３等に当接している。板金部５７の、樹脂部５５のキー用開口５６から露出している部分（キー用開口５６の内周側の部分や複数のキー用開口５８の間の部分）は、キーシート５１に当接している。すなわち、板金部５７は、キーシート５１を係止している。
【００６４】
図２及び図３に示すように、ダイヤルキー１７Ａの配置領域においては、キーシート５１のフロントケース２３側にフレーム５３が積層されていることから、板金部５７の、樹脂部５５のキー用開口５６から露出している部分のうち、キー用開口５８Ａの外周部は、フレーム５３の外周部に当接する。すなわち、板金部５７は、フレーム５３を係止している。
【００６５】
以上のように、板金部５７は、キートップ１７を含む操作部材としてのキーアセンブリ２５の係止に寄与している。なお、キートップ１７の外周部に被係合部が設けられ、キートップ１７が板金部５７により係止されてもよい。
【００６６】
図２及び図３に示すように、フレーム５３には、シールドケース４３に当接する延在部５３ｂが形成されている。また、上述のように、板金部５７は、フレーム５３に当接している。従って、板金部５７は、フレーム５３、シールドケース４３を介して、回路基板２９のグランドラインに電気的に接続される。
【００６７】
図９（ｂ）に示すように、ＬＥＤ４９は、キートップ１７よりも第２筐体５の内部側に位置している。キートップ１７は、ＬＥＤ４９からの光により照明される。例えば、キートップ１７は、透光性を有する樹脂により形成されており、第２筐体５の内部側からＬＥＤ４９により照明される。また、例えば、キートップ１７は、当該キートップ１７の周囲の隙間から第２筐体外部へ漏れる光により、照明される。ここで、板金部５７の側面側折り返し部５７ｃは、基部５７ａからＦＰＣ４５側に延びており、ＬＥＤ４９（ＦＰＣ４５）の側方を覆っている。従って、ＬＥＤ４９からキートップ１７の配置領域の外周側へ向かう光は、側面側折り返し部５７ｃによって遮光される。
【００６８】
図１０は、図４（ａ）のＸ−Ｘ線における断面図である。すなわち、マイクロフォン３９（図２）のための収音口１３の断面図である。
【００６９】
図４（ａ）、図６及び図１０に示すように、板金部５７は、収音口１３の配置位置まで広がっている。そして、図１０に示すように、樹脂部５５に収音用開口５５ｈが形成され、板金部５７の、樹脂部５５の収音用開口５５ｈに重なる位置に、収音用開口５７ｈが形成されることにより、収音口１３は構成されている。
【００７０】
板金部５７の収音用開口５７ｈは、例えば、樹脂部５５の射出成形前に打ち抜き加工により形成される。樹脂部５５の収音用開口５５ｈは、例えば、樹脂部５５の射出成形時に形成される。具体的には、例えば、一対の金型のキャビティ内に設けられ、金型の開閉方向に突出する、収音用開口５５ｈと同一形状の柱部が、板金部５７の収音用開口５７ｈに挿入された状態で射出成形が行われることにより形成される。
【００７１】
なお、図１０では、樹脂部５５の収音用開口５５ｈの径が、板金部５７の収音用開口の径よりも小さい場合を例示しているが、樹脂部５５の収音用開口５５ｈの径は、板金部５７の収音用開口の径と同一であってもよいし、板金部５７の収音用開口の径よりも大きくてもよい。樹脂部５５の収音用開口５５ｈの径と、板金部５７の収音用開口５７ｈの径とが同一の場合には、樹脂部５５の収音用開口５５ｈを形成するための、金型に設けられる柱部を、板金部５７の収音用開口５７ｈに嵌合する形状及び大きさとすればよい。また、樹脂部５５の収音用開口５５ｈの径を、板金部５７の収音用開口の径よりも大きくする場合には、樹脂部５５のキー用開口５６の形成と同様に、金型の開閉方向に突出する、収音用開口５５ｈと同一形状の柱部により、板金部５７の収音用開口５７ｈの外周部を挟持して射出成形を行えばよい。
【００７２】
図１１は、携帯電話機１の信号処理系の構成を示すブロック図である。
【００７３】
携帯電話機１は、ＣＰＵ８５、メモリ８６、通信処理部８７、音響処理部９１及び画像処理部９３を備えている。これら各部は例えば回路基板２９に設けられたＩＣ３７により構成されている。
【００７４】
ＣＰＵ８５及びメモリ８６は、操作部１５等の各種手段からの信号に基づいて所定の演算を行い、画像処理部９３等の各種手段の制御を実行する制御部として機能する。
【００７５】
通信処理部８７は、高周波回路を含んで構成されている。通信処理部８７は、電波を利用した遠距離無線通信を行うために、ＣＰＵ８５で処理された音響データ、画像データ等の各種データを変調して、アンテナ８９を介して送信する。また、通信処理部８７は、アンテナ８９を介して受信した信号を復調してＣＰＵ８５に出力する。
【００７６】
音響処理部９１は、ＣＰＵ８５からの音響データを電気信号に変換して通話用のスピーカ９７、着信等を報知するためのスピーカ９９に出力する。スピーカ９７及びスピーカ９９は、音響処理部９１からの電気信号を音響に変換して出力する。一方、マイクロフォン３９は、入力された音響を電気信号に変換して音響処理部９１に出力する。音響処理部９１は、マイクロフォン３９からの電気信号を音響データに変換してＣＰＵ８５に出力する。
【００７７】
画像処理部９３は、ＣＰＵ８５からの画像データを画像信号に変換して表示部１１へ出力する。また、所定のカメラモジュール９５から出力される撮像信号（画像データ）を所定のフォーマットの画像データに変換してＣＰＵ８５へ出力する。
【００７８】
以上の実施形態によれば、携帯電話機１は、所定面部としての対向面部５ａを有する第２筐体５と、第２筐体５内において、対向面部５ａに対して積層的に配置された回路基板２９と、第２筐体５内において、対向面部５ａ及び回路基板２９の積層方向において、対向面部５ａと重なり、回路基板２９と重ならない位置に配置された電気部品としてのバッテリー３１とを有し、第２筐体５は、第１材料としての樹脂により形成され、対向面部５ａの少なくとも一部を構成し、回路基板２９及びバッテリー３１に跨る第１筐体部材としての樹脂部５５と、樹脂よりも弾性係数が高い第２材料としての金属により形成され、対向面部５ａの少なくとも一部を構成し、樹脂部５５に少なくとも一部が埋設され、回路基板２９及びバッテリー３１に跨る第２筐体部材としての板金部５７とを有するから、図８を参照して説明したように、回路基板２９とバッテリー３１との間における曲げ剛性を低下させることなく、対向面部５ａの薄型化を図り、ひいては、第２筐体５の薄型化及び小型化を図ることができる。
【００７９】
なお、板金部５７は、対向面部５ａを構成する基部５７ａと、基部５７ａの、回路基板２９側からバッテリー３１へ延びる縁部から、基部５７ａに交差するように延びる側面側折り返し部５７ｃとを有することから、回路基板２９とバッテリー３１との間における断面２次モーメントが高い形状となっており、効果的に曲げ剛性の向上が図られる。
【００８０】
携帯電話機１は、回路基板２９及びバッテリー３１と、対向面部５ａとの間に配置されたスイッチ基板としてのＦＰＣ４５と、ＦＰＣ４５の対向面部５ａ側の面に配置された複数のスイッチ４７と、複数のスイッチ４７を押下するための複数のキートップ１７を含む操作部材としてのキーアセンブリ２５と、を有し、樹脂部５５には、複数のキートップ１７を露出させるキー用開口５６が形成され、板金部５７には、樹脂部５５のキー用開口５６と重なる位置に、複数のキートップ１７を露出させるキー用開口５８が形成されていることから、板金部５７は、回路基板２９とバッテリー３１との間の補強だけでなく、ユーザの操作により荷重が加わりやすいキートップ１７の露出面を補強することになり、効果的に補強が行われる。
【００８１】
携帯電話機１において、板金部５７のキー用開口５８は、樹脂部５５のキー用開口５６よりも径が小さく、板金部５７はキー用開口５６において樹脂部５５から露出し、板金部５７の、樹脂部５５のキー用開口５６において樹脂部５５から露出した部分は、キーシート５１等を介してキーアセンブリ２５を係止していることから、キーアセンブリ２５の係止に必要な強度を確保しつつキーアセンブリ２５を係止する面積や厚さを小さくすることができる。また、インサート成形の際に必要となる、板金部５７の、一対の金型により挟持される部分が、樹脂部５５のキー用開口５６内において露出する部分において確保されるから、一対の金型の、樹脂部５５のキー用開口５６を形成するための型開閉方向に突出する柱部が板金部５７を挟持する部分を兼ねることになり、インサート成形が好適に行われることになる。
【００８２】
携帯電話機１は、ＦＰＣ４５の対向面部５ａ側の面に配置された、キートップ１７照明用の発光素子としてのＬＥＤ４９を有し、板金部５７は、対向面部５ａを構成し、キー用開口５８が形成された基部５７ａと、基部５７ａの縁部からＦＰＣ４５側へ延びる側面側折り返し部５７ｃと、を有し、板金部５７を構成する金属は、樹脂部５５を構成する樹脂よりも遮光性が高いことから、板金部５７は、第２筐体５の強度を補強するだけでなく、ＬＥＤ４９の、ＦＰＣ４５側方への光が第２筐体５の側面を透過してしまうことを防止することにも寄与し、効果的に利用される。
【００８３】
換言すれば、携帯電話機１は、第２筐体５内に配置されるＬＥＤ４９を有し、樹脂部５５には、ＬＥＤ４９の光を第２筐体５外部へ射出させる透光用開口としてのキー用開口５６が形成され、板金部５７には、樹脂部５５のキー用開口５６に重なる位置に、ＬＥＤ４９の光を第２筐体５外部へ射出させる透光用開口としてのキー用開口５８が形成され、板金部５７を構成する金属は、樹脂部５５を構成する樹脂よりも遮光性が高いことから、ＬＥＤ４９の光が、意図しない位置（透光用開口以外の位置など）から第２筐体５外部へ射出されることを防止することができ、板金部５７が効果的に利用される。
【００８４】
携帯電話機１において、樹脂部５５を構成する樹脂は絶縁性を有し、板金部５７を構成する金属は導電性を有し、板金部５７は回路基板２９のグランドに接続されていることから、基本的には樹脂部５５により筐体外部と筐体内部とを絶縁しつつ、キートップ１７を露出させるための開口、ＬＥＤ４９の光を射出させるための開口、マイクロフォン３９の収音口１３等の開口から、第２筐体５内部へ侵入しようとする静電気を、板金部５７を介してグランドへ流すことができる。従って、板金部５７は、第２筐体５の補強だけでなく、静電気の侵入防止にも寄与し、効果的に利用される。
【００８５】
携帯電話機１は、第２筐体５の一端に、対向面部５ａに平行な回転軸ＲＡ回りに回転可能に連結された第１筐体３を有し、第２筐体５と、第１筐体３とは、一方の筐体（第２筐体５）に形成された連結突部５ｅが他方の筐体（第１筐体３）に形成された連結凹部３ｅに挿入され、連結突部５ｅの回転軸ＲＡ方向の両側において、連結突部５ｅ及び連結凹部３ｅの互いに対向する面に軸部品としてのヒンジパーツ８が挿通されて、回転軸ＲＡ回りに回転可能に連結されている。従って、第２筐体５には、連結突部５ｅの両側における荷重により、回転軸ＲＡに直交する軸を回転軸とする曲げモーメントが加わる。一方、板金部５７は、対向面部５ａを構成する基部５７ａと、回転軸ＲＡ方向において連結突部５ｅ及び連結凹部３ｅと重なる範囲において、基部５７ａの、第２筐体５の連結部７側の縁部から基部５７ａに交差するように延びる連結部側折り返し部５７ｂとを有している。従って、板金部５７は、回路基板２９とバッテリー３１との間の補強だけでなく、連結部側折り返し部５７ｂにより、連結部７の補強にも寄与し、効果的に利用される。
【００８６】
携帯電話機１は、第２筐体５と、第２筐体５内に配置された電子回路と、を有し、第２筐体５は、第１材料としての樹脂により形成され、第１開口（例えば、収音用開口５５ｈやキー用開口５６）が形成された樹脂部５５と、樹脂よりも弾性係数が高い第２材料としての金属により形成され、少なくとも第１開口の周囲において樹脂部５５に埋設され、第１開口と重なる位置に第２開口（例えば、収音用開口５７ｈやキー用開口５８）が形成された板金部５７とを有することから、開口の周囲における応力集中による破損が防止される。
【００８７】
樹脂部５５の収音用開口５５ｈ及び板金部５７の収音用開口５７ｈは、電気音響変換部品としての通話用のマイクロフォン３９の音道の一部を構成する。ここで、通話用のマイクロフォンへ、通話音声以外の音響（雑音）が入力されることを防止するためには、樹脂部５５の収音用開口５５ｈ及び板金部５７の収音用開口５７ｈからの第２筐体５内への音の入射を許容しつつ、収音用開口５５ｈ及び収音用開口５７ｈ以外の部分からの第２筐体５内への音の侵入を防止することが好ましい。収音用開口５５ｈ及び収音用開口５７ｈは、弾性係数が互いに異なる樹脂部５５及び板金部５７から構成されていることから、それぞれ互いに異なる周波数の音を遮断可能であり、収音用開口５５ｈ及び収音用開口５７ｈ以外の部分からの第２筐体５内への音の侵入が効果的に防止される。すなわち、板金部５７は、第２筐体５の音道を構成する開口周辺の補強だけでなく、意図しない音を、樹脂部５５とは異なる周波数において遮断することにも寄与し、効果的に利用される。
【００８８】
樹脂部５５のキー用開口５６及び板金部５７のキー用開口５８は、電気光変換部品としてのＬＥＤ４９の光路の一部を構成する。一方、上述のように、板金部５７を構成する金属は、樹脂部５５を構成する樹脂よりも遮光性が高い。従って、板金部５７は、光路を構成する開口周辺の補強だけでなく、意図しない光の遮断にも寄与し、効果的に利用される。
【００８９】
携帯電話機１は、第２筐体５に対して開閉可能に、第２筐体５の第２端部５ｄに連結された他の筐体（第１筐体３）を有している。そして、連結部７には、携帯電話機１の開閉に伴って荷重が加わる。従って、第２筐体５のうち第２端部５ｄ側に形成されている開口には、連結部７とは反対側の端部に形成された開口に比較して、応力集中による破損が生じやすい。しかし、携帯電話機１では、板金部５７が連結部７側まで広がり、収音用開口５７ｈ等の連結部付近の開口を形成していることから、連結部７側における破損が防止される。
【００９０】
一般に、通話用のマイクロフォン（３９）は、連結部（７）とは反対側の端部に配置される。しかし、携帯電話機１では、筐体の薄型化のために、回路基板２９が連結部７側に配置されるとともに電気部品としてのバッテリー３１が連結部７とは反対側に配置されていることから、回路基板２９に配置される通話用のマイクロフォン３９を、連結部７とは反対側の端部に配置することができず、連結部７側に配置している。その結果、携帯電話機１では、収音口１３は、所定面部５ａのうち連結部７側に形成されており、開閉に伴う荷重が加わりやすい。しかし、収音口１３は、板金部５７の収音用開口５７ｈを含んで構成されていることから、開閉に伴う荷重による破損が防止される。
【００９１】
本発明は、以上の実施形態に限定されず、種々の態様で実施してよい。
【００９２】
本発明の電子機器は、携帯電話機に限定されない。例えば、デジタルカメラ、ＰＤＡ、ノートパソコン、携帯型ゲーム機であってもよい。また、電子機器全体の筐体は、筐体と、当該筐体に連結された他の筐体とからなるものに限定されない。例えば、筐体を一つのみ有するものであってもよい。また、電子機器全体の筐体が、２以上の筐体から構成される場合、当該電子機器全体の筐体は、折り畳み式のものに限定されない。例えば、スライド式、リボルバー式の筐体であってもよい。連結突部及び連結凹部を有する筐体である場合、第１筐体部材（樹脂部）及び第２筐体部材（板金部）を有する筐体には、連結突部でなく、連結凹部が設けられてもよい。
【００９３】
第１筐体部材及び第２筐体部材により構成される所定面部は、他の筐体に対向する面部や操作部が設けられる面部に限定されない。例えば、他の筐体に対向する面部や操作部が設けられる面部の背面であってもよい。表示装置が設けられる筐体の表示面側の面部であってもよい。
【００９４】
回路基板と、回路基板の積層方向において並列に配置される電気部品は、バッテリーに限定されない。例えば、アンテナであってもよい。
【００９５】
キートップを含む操作部材は、キーシート、フレーム、キートップから構成されるものに限定されない。例えば、キートップのみにより構成されてもよいし、キーシートとキートップとから構成されてもよい。キーシートとキートップとが一体的に形成されていてもよい（実施形態の台座部がキートップとして機能してもよい。）。
【００９６】
発光素子は、キートップ照明用のＬＥＤに限定されない。例えば、電子機器の電源がオンされたときに点灯するＬＥＤであってもよいし、カメラ用のフラッシュであってもよい。
【００９７】
第２筐体部材（板金部）により補強される開口は、マイクロフォンのための収音口、キートップのためのキー用開口に限定されない。例えば、電子機器を冷却するための空気の取入口又は排出口であってもよいし、筐体等を固定するためのネジ孔や位置決め孔であってもよい。開口が、音道の一部を構成するものである場合、その開口を音道として利用する電気音響変換部品は、マイクロフォンに限定されない。例えば、スピーカであってもよい。開口が、光路の一部を構成するものである場合、その開口を光路として利用する電気光変換部品は、ＬＥＤに限定されない。例えば、開口を介して筐体外部からの光が入力されるカメラであってもよいし、開口を介して筐体外部へ光を出力するカメラ用のフラッシュであってもよい。
【図面の簡単な説明】
【００９８】
【図１】本発明の実施形態の携帯電話機の外観を示す斜視図。
【図２】図１の携帯電話機の分解斜視図。
【図３】図１の携帯電話機のキーアセンブリの分解斜視図。
【図４】図１の携帯電話機の第２筐体のフロントケースの平面図及び断面図。
【図５】図４のフロントケースの板金部の斜視図。
【図６】図４のフロントケースの樹脂部及び板金部の配置を示す平面図。
【図７】図４の一部拡大図。
【図８】図１の携帯電話機の回路基板及びバッテリーの配置位置を説明する図。
【図９】図１のＩＶ−ＩＶ線の断面図及びその断面図の一部拡大図。
【図１０】図４（ａ）のＸ−Ｘ線の断面図。
【図１１】図１の携帯電話機の信号処理系の構成を示すブロック図。
【符号の説明】
【００９９】
１…携帯電話機（電子機器）、３…第１筐体（他の筐体）、５…第２筐体（筐体）、５ａ…対向面部（所定面部）、２９…回路基板、３１…バッテリー（電気部品）、３９…マイクロフォン（電気音響変換部品）、４９…ＬＥＤ（発光素子、電気光貧寒部品）、５５…樹脂部（第１筐体部材）、５５ｈ…収音用開口（第１開口）、５６…キー用開口（第１開口、透光用開口）、５７…板金部（第２筐体部材）、５７ｈ…収音用開口（第２開口、透光用開口）、５８…キー用開口（第２開口）。
【図１】
2008245160.tif 000003
【図２】
2008245160.tif 000004
【図３】
2008245160.tif 000005
【図４】
2008245160.tif 000006
【図５】
2008245160.tif 000007
【図６】
2008245160.tif 000008
【図７】
2008245160.tif 000009
【図８】
2008245160.tif 000010
【図９】
2008245160.tif 000011
【図１０】
2008245160.tif 000012
【図１１】
2008245160.tif 000013